(57)【要約】【課題】主に病弱な人や病気治療の人を対象に、使用者が清浄な室内環境のもとで楽な姿勢でリラックスして、短時間により効果的に血流を活発化させて新陳代謝を促進させ、体内の活性化を図ることができる血流促進用サウナ室を提供することを課題としている。【解決手段】中空なる一人用のサウナ室本体１ａに、送・排気手段と、保温手段と、複数の液体貯溜槽１６，１７を備えた背もたれ付き椅子７を設け、上記送・排気手段、保温手段の制御、及び液体貯溜槽１６，１７の液体温度を制御できる制御装置１２と、上記椅子７の座面１０ａ並びに背もたれ面８ａにシート状発熱ヒーター１３を設け、かつ、上記のサウナ室本体１ａ内の側壁面部１９に通電により発熱しかつ遠赤外線を発する面状発熱体１８を設けた。【選択図】  図１
2009045185.tif 000002
【特許請求の範囲】
【請求項１】
出入口に開閉可能なる密閉ドアを備えた中空なる一人用のサウナ室本体に、新鮮な空気をサウナ室本体内に供給できかつサウナ室本体内の汚れた空気を室外に排気できる送・排気手段を設けると共に、サウナ室本体内を所望の温度にする保温手段を設け、さらに、サウナ室本体内にヒーターによって液体を加熱して所望温度に保温できるようにした複数の液体貯溜槽を備えた背もたれ付き椅子を設け、上記送・排気手段、保温手段及び液体貯溜槽内の液体温度を制御できる制御装置を設け、さらに、上記背もたれ付き椅子の座面並びに背もたれ面に耐熱性フィルムで被覆したシート状発熱ヒーターを設けた血流促進用のサウナ室であって、上記のサウナ室本体の内面の所望個所に通電により発熱する面状発熱体を設けたことを特徴とする血流促進用サウナ室。
【発明の詳細な説明】
【技術分野】
【０００１】
本発明は一人使用の血流促進用サウナ室に関し、特に病弱な人や病気治療の人を対象に、楽な姿勢で血流を促進させて体内の新陳代謝を活発化させることができる血流促進用サウナ室に関するものである。
【背景技術】
【０００２】
従来から病弱な人でも利用できる血流促進用のサウナ室としては、本願発明者と同一人により開発されていた下記の特許文献１に開示のようなものがある。このサウナ室は、開閉自在なる密閉ドアを入口に設けたサウナ室に送気孔と排気孔を穿設し、送気孔に送気ダクトを、また排気孔に排気ダクトを夫々接続すると共に、送気ダクトに送風機を接続し、排気ダクトに空気清浄機・排風機を接続し、更にサウナ室内に両肘掛け部と足置き部に液体貯溜槽を形成してなる両肘掛け椅子状の血流促進装置本体を設置し、上記の液体貯溜槽に充填した液体を加熱・保温するヒーターを血流促進装置本体に設けた構成である。
【０００３】
このサウナ室を利用する場合は、使用者が室内に入って血流促進装置本体（椅子）に坐り、ヒーターによって適宜温度に保温されている対応する貯溜槽の液体の中に両手・両足を入れる。このことによりサウナ室の内部空間の昇温された室温や湿度と相まって、使用者の体内の血流を活発化させて新陳代謝を促進させることができる。また、サウナ室内には、送気ダクトから新鮮な空気が外から供給されると共に、サウナ室内の汚れた空気は排気ダクトから外に排出され、清浄な室内環境で健康増進を図ることができる。
【０００４】
しかしながら、清浄な環境とはいえ密閉されたサウナ室内で病弱な人が長時間いることは精神的にも肉体的にも好ましいことではなかった。そのため、短時間でより効果的に血流を促進させ、新陳代謝を活発化して健康増進を図ることのできるサウナ室が望まれていた。
【０００５】
そこで、本願発明者により下記の特許文献２に開示したものが開発されていた。このサウナ室は、特許文献１に開示のサウナ室の背もたれ付き椅子の座面並びに背もたれ面に、通電によって発熱する発熱体を耐熱性フィルムで被覆したシート状発熱ヒーターを設けたものである。
【０００６】
この構成からなるサウナ室では、背もたれ付き椅子の背もたれ面と座面に設けたシート状発熱ヒーターの発熱によって背中や腰が温められ、楽な姿勢で短時間に血流を促進させて新陳代謝の活発化を促すことができる。
【０００７】
上記した特許文献２に開示のサウナ室も確かに短時間に血流を促進させるのに効果的で、
新陳代謝を活発化させることができるが、より身体の弱い人でも安心してサウナ室に入ることができて上記したサウナ室に比べより優しく身体を温めることができ、短時間に血流を促進させて新陳代謝を活発化させ健康促進を促すことができるサウナ室の開発が望まれていた。
【特許文献１】実公平６ー９６５０号公報
【特許文献２】特開平１１−３３２９４９号公報
【発明の開示】
【発明が解決しようとする課題】
【０００８】
本発明は上記のような点に鑑みて開発されたものであり、主に病弱な人や病気治療の人等のより身体の弱い人を対象に、清浄な室内環境のもとで楽な姿勢でリラックスして、短時間により効果的に血流を活発化させて新陳代謝を促進させ、体内の活性化を図ることができる血流促進用サウナ室を提供することを課題としている。
【課題を解決するための手段】
【０００９】
上記した目的を達成するために、本発明の血流促進用サウナ室は、出入口に開閉可能なる密閉ドアを備えた中空なる一人用のサウナ室本体に、新鮮な空気をサウナ室本体内に供給できかつサウナ室本体内の汚れた空気を室外に排気できる送・排気手段を設けると共に、サウナ室本体内を所望の温度にする保温手段を設け、さらに、サウナ室本体内にヒーターによって液体を加熱して所望温度に保温できるようにした複数の液体貯溜槽を備えた背もたれ付き椅子を設け、上記送・排気手段、保温手段及び液体貯溜槽内の液体温度を制御できる制御装置を設け、さらに、上記背もたれ付き椅子の座面並びに背もたれ面に耐熱性フィルムで被覆したシート状発熱ヒーターを設けた血流促進用のサウナ室であって、上記のサウナ室本体の内面の所望個所に通電により発熱する面状発熱体を設けたことを特徴とする。
【発明の効果】
【００１０】
この特徴とする構成を備えた本発明の血流促進用サウナ室では、病弱で身体の弱い人
でも、室内に入って背もたれ付き椅子に座ることにより、サウナ室本体の内面の所望個所に設けた面状発熱体が通電により発熱し、椅子に座った人に対しほっこりとした熱を伝えてやさしく身体を温めるとと共に、通電により面状発熱体から発せられる遠赤外線によって細胞の活動を活発にして血行を良くし、背もたれ付き椅子の背もたれ面と座面に設けたシート状発熱ヒーターの発熱によって背中や腰が温められる効果と相まって、リラックスした状態で新陳代謝を促進して健康の維持増進におおいに寄与することができる。
【発明を実施するための最良の形態】
【００１１】
以下、本発明を実施するための最良の形態について説明する。
図1は本発明を実施するための最良の形態を示す説明図であり、１は血流促進用サウナ室（以下、サウナ室という。）であって、このサウナ室本体１ａを構成するサウナ室本体１ａは全体を中空なる直方体形状に形成したものであり、短辺側の一壁面部(正面側)に長方形状の出入り口２を開口形成し、この出入り口２に密閉ドア２ａを開閉可能に設けてある。
【００１２】
また、上記の出入り口２以外のサウナ室本体１ａの所望の壁面部には送気ダクト用の孔３が形成され、この孔３に外部から送気ダクト４を接続してある。送気ダクト４のサウナ室本体１ａ側以外の端部には、送・排気手段の一つである送風機（図示省略）が接続され、新鮮な空気を送気ダクト４を介してサウナ室本体１ａ内に供給できるようにしてある。
【００１３】
また、サウナ室本体１ａの上部には排気ダクト用の孔５が形成されていて、この孔５に外部から排気ダクト６を接続してある。排気ダクト６のサウナ室本体１ａ側以外の端部には、送・排気手段を構成する空気清浄機、排風機（図示省略）が接続されている。空気清浄機、排風機（図示省略）を設けることによって、サウナ室本体１ａ内の汚れた空気は制御装置１２で自動制御される空気清浄機、排風機（図示省略）により、清浄な空気として外部に排出され、サウナ室本体１ａの外が汚れた空気（排気）によって汚染されないようにしてある。サウナ室本体１ａ内には所望の温度環境にすることができる保温手段の一例であるスチームヒーター（図示せず）が設けられている。勿論、サウナ室内を所望の温度環境に出来れば如何なる保温手段を用いるも自由である。
【００１４】
さらに、サウナ室本体１ａ内の密閉ドア２ａの箇所以外の側壁面部１９には、通電することによって遠赤外線を発生する面状発熱体１８が設けられている。面状発熱体１８は、非導電性材料の上に発熱素子と電極部を設けその上に保護被膜で被覆したものである。この所定の形状で所定の大きさである面状発熱体１８は枠部材２０によって支持され、上記したサウナ室本体１ａの内側の側壁面部１９に複数枚張り巡らすようにして設けてある。なお、面状発熱体１８は、上記以外のサウナ室本体１ａ内の所望の面、またはサウナ室本体１ａ内の全面に設けてもよい。なお、面状発熱体１８は既に市販されているものを使用している。
【００１５】
このサウナ室本体１ａ内には、上記した面状発熱体１８で周囲を覆われた中心部に背もたれ付き椅子７が設置されている。この背もたれ付き椅子７は、背もたれ部８と両肘かけ部９と腰掛け部１０及び足置き部１１とからなる。尚、足置き部１１は別体として設けてもよい。
【００１６】
上記の背もたれ部８の背もたれ面８ａと腰掛け部１０の座面１０ａには、それぞれシート状発熱ヒーター１３ａ、１３ｂが設けられている。このシート状発熱ヒーター１３ａ、１３ｂは、通電によって発熱する発熱体１４を絶縁材である耐熱性フィルム１５で被覆したものである。発熱体１４は特殊な合成樹脂にカーボンを混練してフィルム状に形成したものであり両端に電極を設けてある。また、耐熱性フィルム１５は、ポリエステルとポリエチレンの重合フィルムを使用している。
【００１７】
尚、シート状発熱ヒーター１３ａ、１３ｂは、背もたれ面８ａ並びに座面１０ａの中央部分に設けるも、或いは背もたれ面８ａ並びに座面１０ａの全体に設けるも自由である。
【００１８】
上記のようにして背もたれ面８ａ並びに座面１０ａに設けたそれぞれのシート状発熱ヒーター１３ａ、１３ｂは、制御装置１２によって自動的に或いは手動で制御できるようにしてある。
【００１９】
また、両肘かけ部９並びに足置き部１１には、手足を暖めるための液体を充填する液体貯溜槽１６、１７が形成されている。各液体貯溜槽１６、１７に充填した液体（例えば水）は、内蔵したヒーター（図示せず）によって加熱され、制御装置１２によって設定温度（４３．５℃）に制御されて保温される。
【００２０】
このサウナ室１にあっては、制御装置１２を操作して面状発熱体１８に通電し発熱させると共に遠赤外線を発生させ、またスチームヒーター（図示せず）で室内を４２℃〜５８℃までの所望の温度に昇温させて保持する（運動選手の場合は、上記の室内温度を５２℃〜５８℃までの所望の温度に昇温させて保持する）。また各液体貯溜槽１６、１７に液体を充填し、所定温度（４４．５℃）に昇温させて保持する。更に背もたれ付き椅子７の背もたれ面８ａ並びに座面１０ａに設けた各シート状発熱ヒーター１３ａ、１３ｂに通電して、制御装置１２によって一定温度に保持しておく。
【００２１】
さらに送風機（図示せず）並びに排風機（図示せず）を作動させて、サウナ室本体１ａ内に新鮮な空気を送気ダクト４を介して供給すると共に、室内の汚れた空気を排気ダクト６から室外に排出できるようにしておき、かつ空気清浄機（図示せず）を作動させて室内から排出される汚れた空気を清浄にできるようにしておく。
【００２２】
使用者はこのようにした状態のサウナ室本体１ａ内に密閉ドア２ａを開けて入り、背もたれ付き椅子７の座面１０ａに腰をかけると共に、両腕を肘かけ部９に載せて両手を各液体貯溜槽１６につける。同時に両足も足置き部１１の液体貯溜槽１７につける。
【００２３】
このようにすることにより両手足は各液体貯溜槽１６、１７の保温された液体によって温められると共に、腰や胴体も背もたれ面８ａや座面１０ａに設けたシート状発熱ヒーター１３ａ、１３ｂによって温められる。併せて、全身も室内の内面に設けた面状発熱体１８の熱により周囲から徐々にゆっくりと心地よく暖められ、かつ、面状発熱体１８から発せられる遠赤外線の作用により血流もさらに促進されて各臓器の働きを活発にし、身体の活性化を図ることができ、気持ちを非常にリラックスさせることができる。このように短時間に身体を温めることができて効果的に血流を促進させることができるため、サウナ室１におけるサウナ効果と相まって身体の弱い人でも安心して居ながらにして運動したのと同じような効果を効率良く得ることができる。
【００２４】
また、短時間で血流が促進され、新陳代謝が活発に行われるため、サウナ室に閉じ込められたような気持ちで長時間居る必用もなく、上述のよう効果を得られて肉体的、精神的に非常に楽である。
【００２５】
尚、上記のサウナ室１を使用する人は、併せて自分の胴の周りに胴に巻けるように形成した面状発熱体を巻き、この面状発熱体に通電して発熱・遠赤外線を発生させることにより上記したサウナ室の効果と相まって更なる血流促進効果を得ることができる。
【図面の簡単な説明】
【００２６】
【図１】本発明に係る血流促進用サウナ室の一部を切り開いた説明図である。
【符号の説明】
【００２７】
１      血流促進用サウナ室
１ａ    サウナ室本体
２ａ    密閉ドア
２      出入り口
７      背もたれ付き椅子
８ａ    背もたれ面
１０ａ  座面
１２    制御装置
１３ａ、１３ｂ    シート状発熱ヒーター
１６、１７    液体貯溜槽
１８    面状発熱体
【図１】
2009045185.tif 000003